(57)【特許請求の範囲】
【請求項１】
一対の端子をそれぞれ有し、前記一対の端子の一方が配列の一方側に、
前記一対の端子の他方が配列の他方側に位置するように配列された複数の電気部品の並列接続配線方法であって、
前記配列の一方端の電気部品の前記一方側に位置する端子を外部からの電流出入口となる一方のベース端子とし、該一方のベース端子と前記一方端の電気部品以外の電気部品の前記一方側に位置する各端子とを所定の配線で接続する工程と、
前記配列の他方端の電気部品の前記他方側に位置する端子を外部からの電流出入口となる他方のベース端子とし、該他方のベース端子と前記他方端以外の電気部品の前記他方側に位置する各端子とを前記所定の配線と同等な配線で接続する工程と
からなり、
各電気部品に作用する前記一方のベース端子と前記他方のベース端子間の配線抵抗の各合計は等しくなるようになされていることを特徴とする電気部品の並列接続配線方法。
【請求項２】
前記所定の配線は、
前記電気部品が二個の場合は、前記一方のベース端子と前記他方端の電気部品の端子との間を接続し、
前記電気部品が三個の場合は、前記一方のベース端子と前記一方端の電気部品の隣に配置された電気部品の端子との間、および前記一方のベース端子と前記他方端の電気部品の端子との間をそれぞれ接続し、
前記電気部品が四個の場合は、前記一方のベース端子と前記一方端の電気部品の隣に配置された電気部品の端子との間、前記一方のベース端子と前記他方端の電気部品の隣に配置された電気部品の端子との間、および前記他方端の電気部品の隣に配置された電気部品の端子と前記他方端の電気部品の端子との間をそれぞれ接続することを特徴とする請求項1に記載の電気部品の並列接続方法。
【請求項３】
一対の端子をそれぞれ有する複数の電気部品を、前記一対の端子の一方が配列の一方側に、前記一対の端子の他方が配列の他方側に位置するように配列してマウントし、前記複数の電気部品を並列接続するための配線パターンを有するプリント基板であって、
前記配線パターンは、
前記配列の一方端の電気部品の前記一方側に位置する端子を外部からの電流出入口となる一方のベース端子とし、該一方のベース端子と前記一方端の電気部品以外の電気部品の前記一方側に位置する各端子とを所定のプリント配線で接続して構成された一方側配線パターンと、
前記配列の他方端の電気部品の前記他方側に位置する端子を外部からの電流出入口となる他方のベース端子とし、該他方のベース端子と前記他方端以外の電気部品の前記他方側に位置する各端子とを前記所定のプリント配線と同等なプリント配線で接続して構成された他方側配線パターンと
からなり、
各電気部品に作用する前記一方のベース端子と前記他方のベース端子間のプリント配線の配線抵抗の各合計は等しくなるようになされていることを特徴とするプリント基板。
【請求項４】
前記所定のプリント配線は、
前記電気部品が二個の場合は、前記一方のベース端子と前記他方端の電気部品の端子との間を接続し、
前記電気部品が三個の場合は、前記一方のベース端子と前記一方端の電気部品の隣に配置された電気部品の端子との間、および前記一方のベース端子と前記他方端の電気部品の端子との間をそれぞれ接続し、
前記電気部品が四個の場合は、前記一方のベース端子と前記一方端の電気部品の隣に配置された電気部品の端子との間、前記一方のベース端子と前記他方端の電気部品の隣に配置された電気部品の端子との間、および前記他方端の電気部品の隣に配置された電気部品の端子と前記他方端の電気部品の端子との間をそれぞれ接続することを特徴とする請求項３に記載のプリント基板。
【発明の詳細な説明】
【０００１】
【産業上の利用分野】
本発明は、複数の電気部品を並列に接続する電気部品の並列接続配線方法、及び、マウントした複数の電気部品を並列接続するようプリント配線するプリント基板に関する。
【０００２】
【従来の技術】
図５（ａ）にはスイッチングレギュレータの２次側整流部の回路図が示されている。図５（ａ）において、トランスＴの２次側には整流用のダイオードＤを介して電流平滑用の並列接続された２個のコンデンサＣ１，Ｃ２が接続され、このダイオードＤとコンデンサＣ１，Ｃ２によって整流された電流が負荷抵抗Ｒに供給される。
【０００３】
この２次側整流部を回路図通りにプリント基板に配線して実装すると、図５（ｂ）のようになり、図５（ｂ）において、１はプリント配線である。しかし、このように回路図通りに配線すると、並列接続されたコンデンサＣ１，Ｃ２の電流に着目した場合にその等価回路図は図５（ｃ）となる。即ち、図５（ｂ）にてハッチングで示した部分の配線抵抗Ｒ１，Ｒ２が２個のコンデンサＣ１，Ｃ２間に存在し、一方のコンデンサＣ１のリップル電流が他方のコンデンサＣ２のそれより大きくなり、一方のコンデンサＣ１の発熱、劣化につながる。
【０００４】
そのため、従来では図６（ａ）に示すように配線していた。即ち、プリント配線１を外部からの電流出入口となる各端子Ａから途中の中継点Ｂまでの共通配線部１ａと、中継点Ｂより分岐して各コンデンサＣ１，Ｃ２の端子まで延びる分岐配線部１ｂとから構成し、各分岐配線部１ｂの長さを均一に構成する。すると、図６（ａ）にてハッチングで示す分岐配線部１ｂが配線抵抗Ｒ３〜Ｒ６で、その等価回路図は図６（ｂ）となり、双方のコンデンサＣ１，Ｃ２のリップル電流が均等になる。
【０００５】
図７（ａ）には蓄電池の充電回路が示され、Ｄはダイオード、Ｒは負荷抵抗、Ｅ１，Ｅ２は蓄電池である。これを略回路図通りに導線２で配線すると図７（ｂ）のようになり、並列接続された蓄電池Ｅ１，Ｅ２の電流に着目すると、その等価回路図は図７（ｃ）となる。即ち、図７（ｂ）にてハッチングで示す部分の配線抵抗Ｒ７，Ｒ８が蓄電池Ｅ１，Ｅ２間に存在し、一方の蓄電池Ｅ１の充電電流が他方の蓄電池Ｅ２のそれより大きくなり、一方の蓄電池Ｅ１の過充電、劣化につながる。
【０００６】
そのため、従来では図８（ａ）に示すように配線していた。即ち、各端子Ａから蓄電池Ｅ１，Ｅ２の端子Ｃまでそれぞれ同一長さの導線２で配線する。すると、図８（ａ）にてハッチングで示す導線２全体が配線抵抗Ｒ９〜Ｒ１２で、その等価回路図は図８（ｂ）となり、双方の蓄電池Ｅ１，Ｅ２の充電電流が均等になる。
【０００７】
【発明が解決しようとする課題】
しかしながら、上記前者の方法によれば、中継点Ｂより放射状にプリント配線１を配し、又、上記後者の方法によれば、端子Ａより直接放射状に導線２を配するものであるため、中継点Ｂや端子Ａからは並列接続される電気部品の数だけプリント配線１や導線２を導出しなければならない。従って、配線パターンに自由度がなく中継点Ｂや端子Ａに配線が密集し、構造・スペース的な制約を受ける場合には配線に支障がある場合も少なくない。
【０００８】
そこで、本発明は並列接続する配線パターンに自由度があり、しかも、並列接続された各電気部品に均等に電流が流れる電気部品の並列接続配線方法及びプリント基板を提供することを課題とする。
【０００９】
【課題を解決するための手段】
上記課題を達成するための本願発明に係る電気部品の並列接続方法は、一対の端子をそれぞれ有し、前記一対の端子の一方が配列の一方側に、前記一対の端子の他方が配列の他方側に位置するように配列された複数の電気部品の並列接続配線方法であって、前記配列の一方端の電気部品の前記一方側に位置する端子を外部からの電流出入口となる一方のベース端子とし、該一方のベース端子と前記一方端の電気部品以外の電気部品の前記一方側に位置する各端子とを所定の配線で接続する工程と、前記配列の他方端の電気部品の前記他方側に位置する端子を外部からの電流出入口となる他方のベース端子とし、該他方のベース端子と前記他方端以外の電気部品の前記他方側に位置する各端子とを前記所定の配線と同等な配線で接続する工程とからなり、各電気部品に作用する前記一方のベース端子と前記他方のベース端子間の配線抵抗の各合計を等しくなるようになされたものである。
【００１０】
また、他の発明に係るプリント基板は、一対の端子をそれぞれ有する複数の電気部品を、前記一対の端子の一方が配列の一方側に、前記一対の端子の他方が配列の他方側に位置するように配列してマウントし、前記複数の電気部品を並列接続するための配線パターンを有するプリント基板であって、前記配線パターンは、前記配列の一方端の電気部品の前記一方側に位置する端子を外部からの電流出入口となる一方のベース端子とし、該一方のベース端子と前記一方端の電気部品以外の電気部品の前記一方側に位置する各端子とを所定のプリント配線で接続して構成された一方側配線パターンと、前記配列の他方端の電気部品の前記他方側に位置する端子を外部からの電流出入口となる他方のベース端子とし、該他方のベース端子と前記他方端以外の電気部品の前記他方側に位置する各端子とを前記所定のプリント配線と同等なプリント配線で接続して構成された他方側配線パターンとからなり、各電気部品に作用する前記一方のベース端子と前記他方のベース端子間のプリント配線の配線抵抗の各合計を等しくなるようになされたものである。
【００１１】
【作用】
上記構成によれば、一方側配線パターンは一方のベース端子と各電気部品の一方の端子とを直接的又は他の電気部品を介して間接的に自由に接続し、他方側配線パターンは上記一方側配線パターンとは逆パターンで配線すれば良いため、配線パターンに自由度があり配線が密集するのを防止でき、又、一方側配線パターンと他方側配線パターンとは逆パターンであり各電気部品における双方のベース端子までの配線抵抗の合計が同じであるため、各電気部品には均一な電流が供給される。
【００１２】
【実施例】
以下、本発明の実施例を図面を用いて説明する。図１（ａ）〜（ｃ）には本発明の第１実施例が示されている。図１（ａ）にはスイッチングレギュレータの回路図が示されている。図１（ａ）において、１０は商用電源、１１は商用電源整流回路、１２は平滑用のコンデンサ、１３は制御回路、Ｔｒは制御回路１３のスイッチングパルスにより駆動するスイッチングトランジスタ、Ｔはトランス、Ｄは２次電圧整流用のダイオード、Ｃ１，Ｃ２は２次電圧平滑用の第１及び第２コンデンサ、Ｒは負荷抵抗である。ここで、並列接続の電気部品である上記第１及び第２コンデンサＣ１，Ｃ２には負荷抵抗Ｒの数倍のリップル電流が流れるため、リップル電流の許容値が十分に大きなコンデンサを使用するが、そのようなコンデンサは外形が大きいことが多く設置場所の制約を受ける理由から本実施例では２つに分割されている。
【００１３】
図１（ｂ）には上記回路のトランスＴ以後をプリント基板に配線して実装した状態が示されている。図１（ｂ）において、従来例の図５（ｂ）と異なり、第１プリント配線１ｃはダイオードＤの一端と第２コンデンサＣ２の一方の端子Ｔ３と接続し、この一方の端子Ｔ３を一方のベース端子として第２プリント配線１ｄは第２コンデンサＣ２の一方の端子Ｔ３と第１コンデンサＣ１の一方の端子Ｔ１とを接続するよう配線されている。これが一方側配線パターンである。また、第３プリント配線１ｅはトランスＴの一端と第１コンデンサＣ１の他方の端子Ｔ２とを接続し、この他方の端子Ｔ２を他方のベース端子として第４プリント配線１ｆはこのベース端子Ｔ２と第２のコンデンサＣ２の他方の端子Ｔ４とを接続するよう配線されている。これが他方側配線パターンであり、一方側配線パターンとは逆パターンの配線となっている。
【００１４】
図１（ｃ）には図１（ｂ）の如く配線した場合の等価回路図が示されている。図１（ｃ）において、図１（ｂ）にてハッチングで示す第２パターン配線１ｄ及び第４パターン配線１ｆの部分が配線抵抗Ｒｄ，Ｒｆとなって存在する。第２パターン配線１ｄと第４パターン配線１ｆとは同一長さ、同一幅に形成されているため、配線抵抗Ｒｄと配線抵抗Ｒｆとは同じ値となる。そして、双方のベース端子Ｔ２，Ｔ３間の第１コンデンサＣ１ルートと第２コンデンサＣ２ルートの抵抗Ｒｄ，Ｒｆがそれぞれ同じ値であるためリップル電流が均等に流れる。
【００１５】
図２（ａ）〜（ｃ）には本発明の第２実施例が示されている。図２（ａ）には並列接続される電気部品である蓄電池の充放電回路図が示されている。図２（ａ）において、１０は商用電源、１１は整流回路、１２は平滑用のコンデンサ、１３は制御回路、Ｔは制御トランジスタ、Ｅ１は第１蓄電池、Ｅ２は第２蓄電池、Ｒは負荷抵抗である。
【００１６】
図２（ｂ）には上記回路図の蓄電池Ｅ１，Ｅ２付近の配線図が示されている。図２（ｂ）において、第１配線２ａの一端は第２蓄電池Ｅ２の一方の端子Ｔ３に接続され、この一方の端子Ｔ３を一方のベース端子として第２配線２ａはこのベース端子と第１蓄電池Ｅ１の一方の端子Ｔ１とを接続するよう配線されている。これが一方側配線パターンである。
【００１７】
また、第３配線２ｃの一端は第１蓄電池Ｅ１の他方の端子Ｔ２に接続され、この方の端子Ｔ２を他方のベース端子として第４配線２ｄはこのベース端子と第２蓄電池Ｅ２の他方の端子Ｔ４とを接続するよう配線されている。これが他方側配線パターンであり、一方側配線パターンとは逆パターン配線となっている。
【００１８】
図２（ｃ）には図２（ｂ）の如く配線した場合の等価回路図が示され、図２（ｂ）にてハッチングで示す第２配線２ｂと第４配線２ｄの部分が配線抵抗Ｒｂ，Ｒｄとなって存在する。第２配線２ｂと第４配線２ｄとは同一長さ、同一径に形成されているため、配線抵抗Ｒｂ，Ｒｄは同じ値となり、第１実施例と同様に第１及び第２蓄電池Ｅ１，Ｅ２には均等な電流が流れる。
【００１９】
図３（ａ），（ｂ）には本発明の第３実施例が示されている。図３（ａ）には４個の蓄電池Ｅ１，Ｅ２，Ｅ３，Ｅ４を並列接続する場合の配線図が示されている。図３（ａ）において、第１配線２０ａの一端は第４蓄電池Ｅ４の一方の端子Ｔ７に接続され、この一方の端子Ｔ７を一方のベース端子としている。第２配線２０ｂはこの一方のベース端子と第３蓄電池Ｅ３の一方の端子Ｔ５とを接続し、第３配線２０ｃは一方のベース端子と第２蓄電池Ｅ２の一方の端子Ｔ３とを接続し、第４配線２０ｄは第２蓄電池Ｅ２の一方の端子Ｔ３と第１蓄電池Ｅ１の一方の端子Ｔ１とを接続するようそれぞれ配線されている。これが一方側配線パターンである。
【００２０】
他方側配線パターンは上記一方側配線パターンとは逆パターンの配線となっており、一方側配線パターンで一方のベース端子を有する第４蓄電池Ｅ４に対して最も遠い接続となる第１蓄電池Ｅ１の他方の端子Ｔ２を他方のベース端子とする。即ち、第５配線２０ｅの一端は第１蓄電池Ｅ１の他方の端子Ｔ２に接続され、第６配線２０ｆはこの他方の端子Ｔ２と第２蓄電池Ｅ２の他方の端子Ｔ４とを接続し、第７配線２０ｇは第１蓄電池Ｅ１の他方の端子Ｔ２と第３蓄電池Ｅ３の他方の端子Ｔ６とを接続し、第８配線２０ｈはこの他方の端子Ｔ６と第４蓄電池Ｅ４の他方の端子Ｔ８とを接続するようそれぞれ配線されている。そして、第２配線２０ｂ，第４配線２０ｄ及び第６配線は同一長さ、同一径に形成され、又、第３配線２０ｃと第７配線２０ｇは同一長さ、同一径で、且つ、第２配線２０ｂ等に較べて２倍の長さに形成されている。
【００２１】
図３（ｂ）には図３（ａ）の如く配線した場合の等価回路図が示され、カッコ内の数字は第２配線２０ｂの配線抵抗Ｒｂを基準とした場合の抵抗比である。各蓄電池Ｅ１〜Ｅ４におけるベース端子Ｔ７，Ｔ２間の配線抵抗の合計は同じであるため各蓄電池Ｅ１〜Ｅ４には均等な電流が流れる。
【００２２】
【００２３】
【００２４】
即ち、第３実施例には４個の電気部品を並列接続する場合を示したが、一方側配線パターンを決定し、この逆パターンで他方側配線パターンを設定すれば良いため、配線パターンに自由度があり、そのときの状況に応じて配線が密集しないよう構成することが可能であり、しかも、各電気部品（蓄電池）に均等な電流を流すことができる。
【００２５】
図４（ａ），（ｂ）には本発明の第４実施例が示されている。図４（ａ）において、並列接続される蓄電池Ｅ１〜Ｅ３が３個であり、その配線は第３実施例の配線パターンで配線されている。図４（ｂ）にはその等価回路図が示されている。
【００２６】
【００２７】
上記第４実施例においても各蓄電池Ｅ１〜Ｅ３におけるベース端子Ｔ２，Ｔ５間の配線抵抗が同じであるため、各蓄電池Ｅ１〜Ｅ３には均等に電流が流れる。
【００２８】
尚、第２実施例から第４実施例においては、導線による配線状態を示したが、プリント基板上のプリント配線でも同様である。又、第１実施例から第４実施例においては、電気部品がコンデンサと蓄電池の場合を示したが、均等に電流を流す必要がある電気部品全てに適用できる。
【発明の効果】
以上述べたように本発明によれば、一の電気部品の一方の端子をベース端子とし、この一方のベース端子とそれ以外の電気部品の各一方の端子とを配線で接続して一方側配線パターンを構成し、他の電気部品の他方の端子をベース端子とし、この他方のベース端子とそれ以外の電気部品の各他方の端子とを一方側配線パターンとは逆パターンの配線で接続して他方側配線パターンを構成したので、並列接続する配線パターンに自由度があり、しかも、並列接続された各電気部品に均等に電流が流れるという効果がある。
【図面の簡単な説明】
【図１】（ａ）はスイッチングレギュレータの回路図、（ｂ）はプリント基板に配線した実装図、（ｃ）は等価回路図（第１実施例）。
【図２】（ａ）は蓄電池の充放電回路図、（ｂ）はその一部配線図、（ｃ）は等価回路図（第２実施例）。
【図３】（ａ）は並列接続される蓄電池の配線図、（ｂ）はその等価回路図（第３実施例）。
【図４】（ａ）は並列接続される蓄電池の配線図、（ｂ）はその等価回路図（第４実施例）。
【図５】（ａ）はスイッチングレギュレータの２次側整流部の回路図、（ｂ）はその配線図、（ｃ）はその等価回路図（従来例）。
【図６】（ａ）は配線図、（ｂ）は等価回路図（従来例）。
【図７】（ａ）は蓄電池の充電回路図、（ｂ）はその配線図、（ｃ）はその等価回路図（他の従来例）。
【図８】（ａ）は配線図、（ｂ）はその等価回路図（他の従来例）。
【符号の説明】
１，１ｃ〜１ｆ…プリント配線
２，２０ａ〜２０ｈ…配線
Ｃ１，Ｃ２…コンデンサ（電気部品）
Ｅ１〜Ｅ４…蓄電池（電気部品）
Ｔ１〜Ｔ８…端子
【図１】
0003680328.tif 000002
【図２】
0003680328.tif 000003
【図３】
0003680328.tif 000004
【図４】
0003680328.tif 000005
【図５】
0003680328.tif 000006
【図６】
0003680328.tif 000007
【図７】
0003680328.tif 000008
【図８】
0003680328.tif 000009